(57)【特許請求の範囲】
【請求項１】
半導体素子とモジュール側アンテナを有する非接触ＩＣモジュールを備えた被アクセス体において、
前記モジュール側アンテナは渦巻き状に巻回され、当該被アクセス体と通信する通信機器側の第１の使用態様における機器側第１アンテナと対向してアンテナ実効面積を確保し、
かつ通信機器側の第２の使用態様において前記機器側第１アンテナとは異なるアクセス方向の機器側第２アンテナ寄りのアンテナ部分の線間ピッチが、他のアンテナ部分の線間ピッチよりも狭くなっていることを特徴とする非接触ＩＣモジュールを備えた被アクセス体。
【請求項２】
請求項１に記載の被アクセス体において、前記被アクセス体の所定位置に差込み部が設けられ、その差込み部に非接触ＩＣモジュールが差込まれることを特徴とする非接触ＩＣモジュールを備えた被アクセス体。
【請求項３】
請求項２に記載の被アクセス体において、前記差込み部がスリットであることを特徴とする非接触ＩＣモジュールを備えた被アクセス体。
【請求項４】
請求項２または請求項３に記載の被アクセス体において、前記差込み部と非接触ＩＣモジュールに誤挿入防止手段が設けられていることを特徴とする非接触ＩＣモジュールを備えた被アクセス体。
【請求項５】
請求項１に記載の被アクセス体において、前記被アクセス体が情報を記録する情報記録媒体であることを特徴とする非接触ＩＣモジュールを備えた被アクセス体。
【発明の詳細な説明】
【０００１】
【発明の属する技術分野】
本発明は、ＩＣチップなどの半導体素子と無線通信用アンテナを有する非接触ＩＣモジュール（以下、単にＩＣモジュールと略記する）を備えた被アクセス体に係り、特に複数方向からのアクセスが可能な被アクセス体に関する。
【０００２】
【従来の技術】
被アクセス体の管理、検索、セキュリティー付与などのために、ＩＣチップなどの半導体素子と無線通信用アンテナを有するＩＣモジュールを被アクセス体に取り付けたものがある。
【０００３】
図１０はこの被アクセス体を説明するための図で、被アクセス体１００の表面にタグ状のＩＣモジュール１０１が取り付けられている。ＩＣモジュール１０１は図９に示すようにプリント基板１０２上に、ＩＣチップ１０３とコイル状のモジュール側アンテナ１０４を有している。
【０００４】
一方、パソコンなどのデータ通信処理装置にコイル状の機器側アンテナ１０５が設けられ（図１０参照）、機器側アンテナ１０５と前記被アクセス体１００に取り付けられているモジュール側アンテナ１０４を近接対向することにより、両アンテナ１０４，１０５を電磁的に結合し、両アンテナ１０４，１０５を介してＩＣチップ１０３から情報を読み出したり、情報を書き込んだりするシステムになっている。
【０００５】
【発明が解決しようとする課題】
従来のＩＣモジュール１０１は全体の形状が例えば四角形の場合、モジュール側アンテナ１０４は図９に示されているように、同じ線幅、同じ線間ピッチで四辺にほぼ均等に形成されている。
【０００６】
そのため図１０に示す機器側アンテナ１０５ａのように、ＩＣモジュール１０１の平面に対して垂直にアクセスする場合は、両アンテナ１０４，１０５ａ間の結合効率が高く、情報の読み出しあるいはを書き込には支障を生じない。
【０００７】
しかし、何らかの理由で機器側アンテナ１０５ｂのように、ＩＣモジュール１０１の片側からアクセスする場合は、磁束分布の関係上、ＩＣモジュール１０１のモジュール側アンテナ１０４と機器側アンテナ１０５ｂとの間の結合効率が悪く、情報の読み出しあるいは書き込に支障をきたし、動作信頼性に問題がある。
従ってこのようなときは、被アクセス体１００の向きを９０°変えて、ＩＣモジュール１０１の平面が機器側アンテナ１０５ｂと対向するようにしてから、情報の読み出しあるいはを書き込を行なわなければならず、そのために被アクセス体１００の取り扱いが不便である。
【０００８】
本発明の目的は、このような従来技術の欠点を解消し、取扱性が良好でしかも動作信頼性の高いＩＣモジュールを備えた被アクセス体を提供することにある。
【課題を解決するための手段】
前記目的を達成するため、本発明は、ＩＣチップなどの半導体素子と無線通信用のモジュール側アンテナを有する例えばタグ状のＩＣモジュールを備えた例えばカートリッジ形情報記録媒体などの被アクセス体を対象とするものである。
【０００９】
そして本発明の第１の手段は、前記モジュール側アンテナは渦巻き状に巻回され、当該被アクセス体と通信する通信機器側の第１の使用態様における機器側第１アンテナと対向してアンテナ実効面積を確保し、
かつ通信機器側の第２の使用態様において前記機器側第１アンテナとは異なるアクセス方向の機器側第２アンテナ寄りのアンテナ部分の線間ピッチが、他のアンテナ部分の線間ピッチよりも狭くなっていることを特徴とする。
【００１０】
本発明の第２の手段は、前記第１の手段において、前記被アクセス体の所定位置に差込み部が設けられ、その差込み部に非接触ＩＣモジュールが差込まれることを特徴とする。
【００１１】
本発明の第３の手段は、前記第２の手段において、前記差込み部がスリットであることを特徴とする。
【００１２】
本発明の第４の手段は、前記第２の手段または第３の手段において、前記差込み部と非接触ＩＣモジュールに誤挿入防止手段が設けられていることを特徴とする。
【００１３】
本発明の第５の手段は、前記第１の手段において、前記被アクセス体が情報を記録する例えばテープカートリッジやディスクカートリッジなどの情報記録媒体であることを特徴とする。
【００１４】
【発明の実施の形態】
以下、本発明の実施の形態を図とともに説明する。
図１は第１の実施形態に係る被アクセス体へのＩＣモジュールの装着状態と機器側アンテナのアクセス方向を示す一部斜視図、図２は非接触ＩＣモジュールの平面図である。
【００１５】
図１に示すように例えばテープカートリッジなどの被アクセス体１の角部近傍にスリット２が形成され、そこにＩＣモジュール３が差し込まれて、構造的あるいは接着剤などの適宜な手段で固定されている。
【００１６】
ＩＣモジュール３はタグ形状をしており図２に示すように、例えばガラス−エポキシ樹脂などからなる四角形の硬質プリント基板４の表面に、例えばアルミニウムや銅などからなるコイル状のモジュール側アンテナ５が形成され、アンテナ５の両端はプリント基板４に搭載されたＩＣチップ６に接続されている。ＩＣチップ６は保護のため樹脂モールドされている。
【００１７】
図２に示すように、モジュール側アンテナ５は渦巻き状に巻回されている。図１に示すように、モジュール側アンテナ５は、当該被アクセス体１と通信する例えばパソコンなどの通信機器側の第１の使用態様（ＩＣモジュール３に対して正面側からアクセスする使用態様）における機器側第１アンテナ７と対向して、通信機器との間で情報交換を確実に行なうことのできる磁束を発生することのできるアンテナ実効面積を確保している。
【００１８】
また、図１、図２に示すようにモジュール側アンテナ５は、通信機器側の第２の使用態様（ＩＣモジュール３に対して片側からアクセスする使用態様）において、機器側第１アンテナ７とは異なるアクセス方向の機器側第２アンテナ８側に寄った部分であるモジュール側第１アンテナ部５ａの線間ピッチＰ１が他の部分であるモジュール側第２アンテナ部５ｂの線間ピッチＰ２よりも狭くなっている（Ｐ１＜Ｐ２）。
【００１９】
従って、モジュール側アンテナ５全体の長さを前記従来のモジュール側アンテナ１０４と同じにした場合、両者のＩＣモジュールからの発生磁束量は同じであるが、磁束の分布が、従来のものは磁束が全体的にほぼ均等に分布しているのに対して、本発明のものはプリント基板４の側端４ａ側（機器側第２アンテナ８に近い側）に偏った分布になる。
【００２０】
この実施形態では図２に示すモジュール側第２アンテナ部５ｂの各線間ピッチＰ２−１〜Ｐ２−５を等しくしたが、そのアンテナ部５ｂの線間ピッチＰ２をＰ２−１からＰ２−５に行くに従って徐々に狭く、すなわちＰ２−１＞Ｐ２−２＞Ｐ２−３＞Ｐ２−４＞Ｐ２−５とすることもできる。
【００２１】
図３は、本発明の第２の実施形態を示す図である。この例で前記第１の実施形態と相違する点は、プリント基板４の先端部に誤挿入防止用の傾斜状切欠部９が片側に設けられ、被アクセス体１のスリット２の奥側に切欠部９に対応する傾斜部１０が形成されている。この例では誤挿入防止用に傾斜状切欠部９と傾斜部１０を設けたが、凹状、凸状、溝状、ピン状など他の嵌合形状でも構わない。
【００２２】
さらにプリント基板４にＩＣモジュール３の挿入方向を示す矢印１１と、係止用凹部１２，１２が設けられ、この係止用凹部１２，１２内に嵌まり込む弾性片１３，１３がスリット２内に臨むように設置されている。
【００２３】
図４ないし図６は、本発明の第３の実施形態を示す図である。この例の場合、モジュール側第１アンテナ部５ａの線間ピッチＰ１を他の部分であるモジュール側第２アンテナ部５ｂの線間ピッチＰ２より狭くすることにより、ＩＣチップ６がプリント基板４のセンター１４（図４，図５参照）より偏った位置に設置されることを利用して、ＩＣモジュール３の誤挿入防止を図ったものである。
【００２４】
すなわち図６に示すように被アクセス体１に形成されるスリット２の開口部に、前記ＩＣチップ６と対応する位置、換言すればスリット２のセンター２０より偏った位置にＩＣチップ６が挿通する挿通凹部１５を形成することにより、ＩＣモジュール３の挿入方向、すなわちモジュール側第１アンテナ部５ａの位置を間違えなく挿入することができる。
【００２５】
図７は、本発明の第４の実施形態を示す図である。この例の場合、プリント基板４の第１の側端４ａと直交する短手方向の第２の側端４ｂ寄りに、モジュール側第１アンテナ部５ａが設けられている。この例では図１に示す機器側第１アンテナ７によるアクセスと、図７に破線で示す機器側第３アンテナ１６によるアクセスが可能となる。なお図７以降では、図面を簡略化するためプリント基板４上のＩＣチップ６の表示を省略している。
【００２６】
また図７に示す第４の実施形態では、プリント基板４に円形孔１７ａと楕円形孔（あるいはトラック形状孔）１７ｂが対になって形成されている。図示しないが被アクセス体１のＩＣモジュール装着位置にプリント基板４の厚さ以上の深さを有する装着凹部が形成され、その装着凹部内に円形孔１７ａに嵌入する円形の突出部と、楕円形孔１７ｂに嵌入する楕円形の突出部が設けられている。ＩＣモジュールを被アクセス体１に装着する際、前記突出部を孔１７ａ，孔１７ｂに嵌入することにより、モジュール側第１アンテナ部５ａが所定の方向に配置され、誤挿入防止がなされる。
【００２７】
図８は、本発明の第５の実施形態を示す図である。この例の場合、プリント基板４の第１の側端４ａとこれに対向する第３の側端４ｃ寄りに、モジュール側第１アンテナ部５ａが上下対称に設けられている。この例では線間ピッチＰ１が他よりも狭いモジュール側第１アンテナ部５ａが上下対称であるから、ＩＣモジュール３の被アクセス体１への装着方向を気にする必要がない。
【００２８】
【発明の効果】
請求項１記載の本発明は、半導体素子とモジュール側アンテナを有する非接触ＩＣモジュールを備えた被アクセス体において、前記モジュール側アンテナは渦巻き状に巻回され、当該被アクセス体と通信する通信機器側の第１の使用態様における機器側第１アンテナと対向してアンテナ実効面積を確保し、かつ通信機器側の第２の使用態様において前記機器側第１アンテナとは異なるアクセス方向の機器側第２アンテナ寄りのアンテナ部分の線間ピッチが、他のアンテナ部分の線間ピッチよりも狭くなっていることを特徴とするものである。
【００２９】
このように通信機器側の第２の使用態様において前記機器側第１アンテナとは異なるアクセス方向の機器側第２アンテナ側寄りのアンテナ部分の線間ピッチが、他のアンテナ部分の線間ピッチよりも狭くなっていることにより、機器側第２アンテナと、これに寄っているモジュール側アンテナ部分（モジュール側第１アンテナ部）の間の結合効率が高まり、情報の読み出しあるいは書き込が可能となり、従って被アクセス体の向きを変えることなく、複数方向からのアクセスができ、動作信頼性と取扱性の向上が図れる。
【００３０】
請求項２記載の本発明は、被アクセス体の所定位置に差込み部が設けられ、その差込み部に非接触ＩＣモジュールが差込まれるようになっているから、ＩＣモジュールの位置、特にモジュール側第１アンテナ部の位置が確実に確保され、動作信頼性の向上が図れる。
【００３１】
請求項３記載の本発明は、前記差込み部がスリットであることを特徴とするもので、被アクセス体の狭い部分（薄い部分）にＩＣモジュールを確実に装着することができる。
【００３２】
請求項４記載の本発明は、差込み部と非接触ＩＣモジュールに誤挿入防止手段が設けられていることを特徴とするもので、特にモジュール側第１アンテナ部の位置（方向）が確実に確保され、動作信頼性の向上が図れる。
【００３３】
請求項５記載の本発明は、被アクセス体が情報を記録する情報記録媒体であることを特徴とするもので、無線通信用アンテナを通して情報記録媒体の検索、管理などが簡便であるなどの特長を有している。
【図面の簡単な説明】
【図１】本発明の第１の実施形態に係る被アクセス体へのＩＣモジュールの装着状態と機器側アンテナのアクセス方向を示す一部斜視図である。
【図２】その実施形態に係る非接触ＩＣモジュールの平面図である。
【図３】本発明の第２の実施形態に係るＩＣモジュールを被アクセス体へ装着する状態を示す一部断面図である。
【図４】本発明の第３の実施形態に係るＩＣモジュールの平面図である。
【図５】そのＩＣモジュールの側面図である。
【図６】そのＩＣモジュールを差し込む被アクセス体のスリット形状を示す断面図である。
【図７】本発明の第４の実施形態に係るＩＣモジュールの平面図である。
【図８】本発明の第５の実施形態に係るＩＣモジュールの平面図である。
【図９】従来の被アクセス体に用いるＩＣモジュールの平面図である。
【図１０】従来の被アクセス体を説明するための図である。
【符号の説明】
１  被アクセス体
２  スリット
３  非接触ＩＣモジュール
４  プリント基板
４ａ  プリント基板第１の側端
４ｂ  プリント基板第２の側端
４ｃ  プリント基板第３の側端
５  モジュール側アンテナ
５ａ  モジュール側第１のアンテナ部
５ｂ  モジュール側第２のアンテナ部
６  ＩＣチップ
７  機器側第１アンテナ
８  機器側第２アンテナ
９  切欠部
１０  傾斜部
１１  矢印
１２  係止用凹部
１３  弾性片
１４  センター
１５  挿通凹部
１６  機器側第３アンテナ
１７ａ  円形孔
１７ｂ  楕円孔
２０  センター
【図１】
0004267168.tif 000002
【図２】
0004267168.tif 000003
【図３】
0004267168.tif 000004
【図４】
0004267168.tif 000005
【図５】
0004267168.tif 000006
【図６】
0004267168.tif 000007
【図７】
0004267168.tif 000008
【図８】
0004267168.tif 000009
【図９】
0004267168.tif 000010
【図１０】
0004267168.tif 000011